(57)【要約】  【課題】通信装置において、送受話部へ至る回路に呼出信号が流れてしまうことを防止すること。  【解決手段】他の電話端末からの呼出に応じてユーザがＯＦＦフック操作を行った際、呼出信号がＯＮ状態であると、ＣＩ＿ＯＮフラグが「１」とされるため、ｓ１７０以降，つまりｓ１８０において回線閉結が行われることはなくなり、その後、呼出信号がＯＦＦ状態となってＣＩ＿ＯＮフラグが「０」とされるまで回線閉結が待機される。そのため、呼出信号の検出に係る回路以外の内部回路にＯＮ状態の呼出信号が流れてしまうことはない。よって、ＯＮ状態の呼出信号が送受話部へ至る回路に流れてしまうことで、送受話部から不快な音声として呼出信号が出力されることを防止でき、また、ＯＮ状態の呼出信号によるデバイス等の損傷，破損を防止できるだけでなく、呼出信号の信号レベルを考慮せずに送受話部へ至る回路を構成することができる。【選択図】図５
2006025138.tif 000002
【特許請求の範囲】
【請求項１】
通信回線網に接続される他の通信装置との音声通話が可能な通信装置であって、
前記他の通信装置からの呼出信号が通信回線網を介して受信されたことを検出する呼出検出手段と、
該呼出検出手段により呼出信号の受信が検出された後、音声通話を開始するための通話開始操作がユーザにより行われた際に、当該通信装置と前記他の通信装置との回線閉結を行う回線閉結手段と、
通信回線網を介して受信されている呼出信号の状態がＯＮ状態であるかＯＦＦ状態であるかを検出する状態検出手段と、
前記呼出検出手段により呼出信号の受信が検出され、かつ、ユーザにより前記通話開始操作が行われた際に、通信回線網から受信されている呼出信号がＯＮ状態であると前記状態検出手段が検出した場合、呼出信号がＯＦＦ状態になるまで回線閉結手段による回線閉結を待機させる閉結待機手段と、
を備えていることを特徴とする通信装置。
【請求項２】
前記呼出検出手段により呼出信号の受信が検出され、かつ、ユーザにより前記通話開始操作が行われた際に、前記状態検出手段により通信回線網から受信されている呼出信号がＯＦＦ状態であると検出された場合、前記回線閉結手段は回線閉結を行う
ことを特徴とする請求項１に記載の通信装置
【請求項３】
前記回線閉結手段が回線閉結を行うとき、前記閉結待機手段は、前記状態検出手段により呼出信号がＯＦＦ状態であると検出されてから所定の待機時間だけ前記回線閉結手段に回線閉結を待機させる
ことを特徴とする請求項１または請求項２に記載の通信装置。
【請求項４】
前記状態検出手段は、呼出信号を構成するパルス信号の周期が所定の周期時間より短いときにＯＮ状態であると検出し、呼出信号を構成するパルス信号の周期が所定の周期時間以上であるときにＯＦＦ状態であると検出する
ことを特徴とする請求項１から３のいずれかに記載の通信装置。
【請求項５】
通信回線網に接続される他の通信装置との音声通話が可能な通信装置における回線閉結方法であって、
前記他の通信装置からの呼出信号が通信回線網を介して受信されたことを検出した後、音声通話を開始するための通話開始操作がユーザにより行われた際に、通信回線網から受信されている呼出信号がＯＮ状態である場合、呼出信号がＯＦＦ状態になるまで待機してから当該通信装置と前記他の通信装置との回線閉結を行う
ことを特徴とする回線閉結方法。
【請求項６】
回線閉結を行うとき、呼出信号がＯＦＦ状態であると検出されてから所定の待機時間だけ回線閉結を待機させる
ことを特徴とする請求項５に記載の回線閉結方法。
【請求項７】
請求項１から４のいずれかに記載の閉結待機手段として機能させるための各種処理手順をコンピュータシステムに実行させるためのプログラム。
【発明の詳細な説明】
【技術分野】
【０００１】
本発明は、通信回線網に接続される他の通信装置との音声通話を実現する通話機能を有する通信装置に関する。
【背景技術】
【０００２】
従来から、音声通話を実現する通話機能を有する電話端末などの通信装置では、音声通話を実現するまでに以下に示すような過程を経ることが一般的である。
まず、電話回線網などの通信回線網に接続された通信装置により他の通信装置の呼び出しを行うと、通信回線網側（交換機）から被呼出側通信装置への呼出の通知が呼出信号（ＣＩ信号：Call Indicator）により行われる。この通知を受けた被呼出側通信装置は、ユーザに応答を促すための呼び出し音を鳴らす。
【０００３】
その後、被呼出側通信装置のユーザが呼出に応答して送受話部を取り上げるなどの通話開始操作を行うと、通信回線網側からの呼出信号による通知が停止されると共に、被呼出側通信装置と呼出側通信装置との回線が閉結され、これにより、両通信装置間での音声通話が実現可能な状態となる。
【０００４】
ここで、通話開始操作が行われた被呼出側通信装置では、通信回線網につながる内部回路を、呼出信号の検出を行う回路から送受話部へ至る回路（音声信号のやりとりを行う回路）に切り替える処理，具体的な例として、リレー（オフフックリレー）により送受話部（電話ハンドセット）までの回路を形成するなどの処理が行われる（特許文献１参照）。
【特許文献１】特許第３３９６２２５号公報（例えば、４頁右の２７行目以降など）
【発明の開示】
【発明が解決しようとする課題】
【０００５】
ところで、上述した呼出信号による通知は、被呼出側通信装置により通話開始操作が行われたことを電話回線網における交換機が検知した後に停止されるため、通話開始操作が行われた際、呼出信号が送受話部へ至る回路に流れてしまう場合がある。
【０００６】
例えば、呼出信号は、一般的に、パルスが繰り返し立ち上がる（または、ＨレベルおよびＬレベルが繰り返される）ＯＮ状態，および，パルスの立ち上がらない（または、Ｌレベルとなる）ＯＦＦ状態が順番に発生する信号であるため、ＯＦＦ状態であれば、通話開始操作が行われた際に、呼出信号を構成するパルスが送受話部へ至る回路に流れることはない。しかし、ＯＮ状態となっているときに通話開始操作が行われてしまうと、僅かな時間とはいえ、呼出信号を構成するパルスが送受話部へ至る回路に流れることにより、本来音声ではない信号が音声として送受話部から出力されてしまい、被呼出側通信装置のユーザに不快感を与えてしまう虞がある。
【０００７】
また、通常、呼出信号を構成するパルスは、音声通話中にやりとりされる音声信号よりも信号レベルが大きいため、このパルスが送受話部へ至る回路に流れると、この回路を構成するデバイス等の耐圧を超えしまい、このデバイス等を損傷，破損させてしまう虞がある。
【０００８】
本発明は、上述した課題を解決するためになされたものであり、その目的は、通信装置において、送受話部へ至る回路に呼出信号が流れてしまうことを防止するための技術を提供することである。
【課題を解決するための手段】
【０００９】
上記課題を解決するため請求項１に記載の通信装置は、通信回線網に接続される他の通信装置との音声通話が可能な通信装置であって、前記他の通信装置からの呼出信号が通信回線網を介して受信されたことを検出する呼出検出手段と、該呼出検出手段により呼出信号の受信が検出された後、音声通話を開始するための通話開始操作がユーザにより行われた際に、当該通信装置と前記他の通信装置との回線閉結を行う回線閉結手段と、通信回線網を介して受信されている呼出信号の状態がＯＮ状態であるかＯＦＦ状態であるかを検出する状態検出手段と、前記呼出検出手段により呼出信号の受信が検出され、かつ、ユーザにより前記通話開始操作が行われた際に、通信回線網から受信されている呼出信号がＯＮ状態であると前記状態検出手段が検出した場合、呼出信号がＯＦＦ状態になるまで回線閉結手段による回線閉結を待機させる閉結待機手段と、を備えている。
【００１０】
このように構成された通信装置によれば、他の通信装置からの呼出に応じてユーザが通話開始操作を行った場合であっても、呼出信号がＯＮ状態であれば回線閉結が直ちに行われることはなく、呼出信号がＯＦＦ状態となるまで待機されるため、ＯＮ状態の呼出信号が呼出検出手段以外の内部回路に流れてしまうことはない。
【００１１】
よって、ＯＮ状態の呼出信号が送受話部へ至る回路に流れてしまうことにより、この呼出信号が送受話部から不快な音声として出力されることを防止できる。
また、ＯＮ状態の呼出信号が、本来送受話部へ至る回路に流すべき信号（音声信号など）よりも大きな信号レベルであると、この回路を構成するデバイス等の耐圧が呼出信号の信号レベルよりも充分に大きくなければ、このデバイス等が損傷，破損してしまう虞もあるが、上述のように、ＯＮ状態の呼出信号が送受話部へ至る回路に流れてしまうことを防止できる構成であれば、呼出信号によるデバイス等の損傷，破損を防止できるだけでなく、送受話部へ至る回路を呼出信号の信号レベルを考慮せずに構成することができる。
【００１２】
なお、上述した回線閉結手段が回線閉結を行う契機となる「通話開始操作」とは、例えば、通話機能による音声通話を通信装置の備える送受話部で開始するための操作であって、例えば、通信装置本体から取り外し可能な送受話部であるハンドセットを取り上げる操作，通信装置と一体に形成された送受話部による音声の入出力を有効にするための操作，通信装置と無線通信可能な送受話部である子機端末において音声の入出力を有効にするための操作などといった操作のことである。そして、回線閉結手段は、このような通話開始操作が行われたことが検出された後で回線閉結を行う。
【００１３】
また、回線閉結手段は、呼出信号の受信が検出された後で通話開始操作が行われた際に、呼出信号がＯＮ状態であれば、上述したように待機を経て回線閉結を行うが、呼出信号がＯＦＦ状態であれば、ＯＮ状態の呼出信号が送受話部へ至る回路に流れてしまうことはないため、待機せずに回線閉結を行っても問題ない。そこで、請求項２に記載のように、前記呼出検出手段により呼出信号の受信が検出され、かつ、ユーザにより前記通話開始操作が行われた際に、前記状態検出手段により通信回線網から受信されている呼出信号がＯＦＦ状態であると検出された場合、前記回線閉結手段は回線閉結を行う、ように構成すればよい。
【００１４】
このように構成すれば、呼出信号の受信が検出された後で通話開始操作が行われた際、呼出信号がＯＦＦ状態となっていれば、閉結待機手段による待機を行うことなく、回線閉結を行うことができる。
【００１５】
また、上述した閉結待機手段は、単に呼出信号がＯＦＦ状態になるまで回線閉結を待機させるだけでよいが、呼出信号がＯＦＦ状態となった直後には、呼出信号の信号レベルが過渡期の不安定な状態となり、このような信号が内部回路に流れることに起因して、送受話部から不快な音声が出力されてしまったり、場合によっては内部回路を構成するデバイス等が損傷，破損してしまう虞がある。
【００１６】
そこで、請求項３に記載のように、前記回線閉結手段が回線閉結を行うとき、前記閉結待機手段は、前記状態検出手段により呼出信号がＯＦＦ状態であると検出されてから所定の待機時間だけ前記回線閉結手段に回線閉結を待機させる、ように構成するとよい。
【００１７】
このように構成すれば、呼出信号がＯＦＦ状態になった後、更に、所定の待機時間だけ回線閉結を待機させることができる。そのため、この待機時間を、例えば、呼出信号が安定するまでに要する時間としておくことによって、送受話部から不快な音声が出力されてしまったり、内部回路を構成するデバイス等の損傷，破損を防止することができる。
【００１８】
また、上述した状態検出手段は、呼出信号の状態がＯＮ状態であるかＯＦＦ状態であるかを検出する手段であって、その具体的な検出方法については特に限定されない。ただ、呼出信号は、通常、パルスが繰り返し立ち上がる（または、ＨレベルおよびＬレベルを繰り返す）ＯＮ状態と、パルスが立ち上がらない（または、Ｌレベルとなる）ＯＦＦ状態とが一定の周期で繰り返される信号であるため、このＯＮ状態となっている期間（パルス信号の周期）が、呼出信号として想定される期間を超えるような状態となったときには、呼出信号がＯＦＦ状態になっていると推定することができる。そのため、上述したパルス信号の周期に基づいて、呼出信号がＯＮ状態であるかＯＦＦ状態であるかを検出することを考えることができる。
【００１９】
このためには、例えば、請求項４に記載のように、前記状態検出手段は、呼出信号を構成するパルス信号の周期が所定の周期時間より短いときにＯＮ状態であると検出し、呼出信号を構成するパルス信号の周期が所定の周期時間以上であるときにＯＦＦ状態であると検出する、ように構成すればよい。
【００２０】
このように構成すれば、パルス信号の周期が所定の周期よりも短いか否かによって、呼出信号がＯＮ状態であるかＯＦＦ状態であるかを検出することができる。そのため、例えば、ＯＮ状態とみなすことのできる最大期間より僅かに大きな値（呼出信号におけるＯＮ状態として想定される期間として許容できない最小値）を「所定の周期時間」として設定しておけば、呼出信号がＯＮ状態であるかＯＦＦ状態であるかを、パルス信号の周期に基づいて適切に検出することができる。
【００２１】
また、請求項５に記載の回線閉結方法は、通信回線網に接続される他の通信装置との音声通話が可能な通信装置における回線閉結方法であって、前記他の通信装置からの呼出信号が通信回線網を介して受信されたことを検出した後、音声通話を開始するための通話開始操作がユーザにより行われた際に、通信回線網から受信されている呼出信号がＯＮ状態である場合、呼出信号がＯＦＦ状態になるまで待機してから当該通信装置と前記他の通信装置との回線閉結を行う、ことを特徴とする。このような方法で回線閉結を行う通信装置は、請求項１から４のいずれかに記載の通信装置と同様の作用，効果を得ることができる。
【００２２】
また、この方法においては、呼出信号の受信が検出され、かつ、ユーザにより通話開始操作が行われた際に、通信回線網から受信されている呼出信号がＯＦＦ状態である場合、待機することなく回線閉結を行う、ようにすればよい。このような方法で回線閉結を行う通信装置は、請求項２から４のいずれかに記載の通信装置と同様の作用，効果を得ることができる。
【００２３】
また、上述した各方法においては、請求項６に記載のように、回線閉結を行うとき、呼出信号がＯＦＦ状態であると検出されてから所定の待機時間だけ回線閉結を待機させる、ようにしてもよい。このような方法で回線閉結を行う通信装置は、請求項３または４のいずれかに記載の通信装置と同様の作用，効果を得ることができる。
【００２４】
また、上述した各方法においては、呼出信号を構成するパルス信号の周期が所定の周期時間より短いときをＯＮ状態であることとして検出し、呼出信号を構成するパルス信号の周期が所定の周期時間以上であるときをＯＦＦ状態であることとして検出する、ようにしてもよい。このような方法で回線閉結を行う通信装置は、請求項４に記載の通信装置と同様の作用，効果を得ることができる。
【００２５】
また、請求項７に記載のプログラムは、請求項１から４のいずれかに記載の閉結待機手段および状態検出手段として機能させるための各種処理手順をコンピュータシステムに実行させるためのプログラムである。
【００２６】
このようなプログラムにより制御されるコンピュータシステムは、請求項１から４のいずれかに記載の通信装置の一部を構成することができる。
なお、このプログラムは、コンピュータによる処理に適した命令の順番付けられた列からなるものであって、例えば、ＦＤ，ＣＤ−ＲＯＭ，メモリーカードなどの記録媒体、インターネットなどの通信回線網を介して、コンピュータシステム，または，コンピュータシステムを利用するユーザに提供されるものである。なお、このプログラムをユーザに提供する場合には、コンピュータシステムのハードディスクやメモリにプレインストールされた状態で提供する形態であってもよい。また、このプログラムを実行するコンピュータシステムとしては、例えば、通信装置に搭載されたコンピュータシステム，通信装置とデータ通信可能な他のコンピュータなどが利用できる。
【発明を実施するための最良の形態】
【００２７】
以下に本発明の実施形態を図面と共に説明する。
電話端末１は、図１に示すように、ＣＰＵ１２、ＲＯＭ１４、ＲＡＭ１６、ＥＥＰＲＯＭ（Electrically Erasable Programmable ROM）１８、操作パネル２２、表示パネル２４、送受話部３０、モデム４０、音声処理部５０、回線インタフェース部１００などを備え、これらがバスライン６０により接続されてなるものである。
【００２８】
ＣＰＵ１２は、ＲＯＭ１４に記憶されている処理手順に従って、処理結果をＲＡＭ１６に記憶させながら、電話端末１全体の動作を制御する。なお、ＥＥＰＲＯＭ１８には、電話端末１の設定に関する情報が記憶される。
【００２９】
送受話部３０は、図２に示すように、電話端末１本体から取り外して使用するハンドセット３２，いわゆるハンズフリー通話を実現するためのスピーカフォン３４、子機端末３６との間で音声信号を含む各種信号を無線で送受信することにより無線通話を実現する無線通信部３８などからなる。
【００３０】
モデム４０は、音声処理部５０から出力される音声信号を回線インタフェース部１００へ出力すると共に、回線インタフェース部１００から入力される音声信号を音声処理部５０へ出力することにより、音声処理部５０と回線インタフェース部１００とを通信可能に接続する。
【００３１】
音声処理部５０は、図２に示すように、送受話部３０側（後述のアンプ５５）から入力されるアナログの音声信号をデジタルの信号に変換してモデム４０へ出力すると共にモデム４０から入力されるデジタルの音声信号をアナログの信号に変換して送受話器３０側（後述のアンプ５２）へ出力するコーデック（CODEC ）５１、このコーデック５１から出力された音声信号を送受話器３０側（後述の切替部５３）へ出力するアンプ５２、このアンプ５２から出力された音声信号を送受話部３０のうちのいずれかへ選択的に出力する切替部５３、送受話部３０のうちのいずれかから出力された音声信号を選択的に入力する切替部５４、この切替部５４に入力された音声信号の信号レベルを増幅してコーデック５１へ出力するアンプ５５などからなる。これらのうち、切替部５３，５４は、初期状態において、送受話部３０のいずれとも接続されておらず、音声信号を入出力することはないが、ＣＰＵ１２からの指令を受けた際に、送受話部３０のいずれかと接続されて音声信号を入出力可能な状態となる。
【００３２】
回線インタフェース部１００は、図３に示すように、接続端子１０２，１０４により電話回線網２００側と接続されるものであって、モデム４０との間において直流信号が流通しないように分離する分離部１１０、分離部１１０を介してモデム４０との間で音声信号を入出力するＤＡＡモジュール１２０（（DAA : Data Access Arrangement ）、電話回線網２００側からの交流信号を直流信号に変換するダイオードブリッジ１３０、電話回線網２００側から送受話部３０側（ＤＡＡモジュール１２０）へ至る経路を開放または導通するスイッチング回路１４０などからなる。
【００３３】
これらのうち、分離部１１０は、コンデンサ１１２，１１４によりモデム４０とＤＡＡモジュール１２０との間において直流信号が流通しないように直流的な絶縁を実現しており、また、モデム４０を介してＤＡＡモジュール１２０に電源を供給するトランス１１６を備えている。
【００３４】
また、ＤＡＡモジュール１２０は、分離部１１０を介してモデム４０と接続されるインタフェース部（Ｉ／Ｆ）１２１、接続端子１０２，１０４からの呼出信号（ＣＩ信号：Call Indicator）を検出するリング検出回路１２２、接続端子１０２，１０４から入力されるアナログの音声信号をデジタルの信号に変換してインタフェース部１２１へ出力すると共にインタフェース部１２１から入力されるデジタルの音声信号をアナログの信号に変換して接続端子１０２，１０４側（後述の送信アンプ１２５）へ出力するコーデック（CODEC ）１２３、接続端子１０２，１０４から入力されるアナログの音声信号における信号レベルの差を増幅してコーデック１２３に出力する差動増幅型の受信アンプ１２４、コーデック１２３から出力されるアナログの音声信号を増幅して接続端子１０２，１０４側（後述のハイブリッドネットワーク１２７）に出力する送信アンプ１２５、ＤＡＡモジュール１２０に入力される信号の信号レベルを検出してその検出信号をコーデック１２３に出力するレベル検出回路１２６、コーデック１２３から送信アンプ１２５を介して入力される音声信号を接続端子１０２，１０４側に出力するハイブリッドネットワーク１２７などからなる集積回路である。本実施形態の電話端末１は、集積回路であるＤＡＡモジュール１２０を採用しているので、装置全体の小型化および低コストを実現している。
【００３５】
このＤＡＡモジュール１２０において、リング検出回路１２２は、接続端子１０２，１０４とインタフェース部１２１とをフォトカプラにより電気的に分離しており、接続端子１０２，１０４側から入力される呼出信号を検出し、その検出信号（ＣＩ検出信号）をインタフェース部１２１を介してＣＰＵ１２に出力するように構成された回路である。なお、この呼出信号は、一定周期（本実施形態においては、１／１６ｓｅｃ）でパルスが繰り返し立ち上がる（つまり，ＨレベルとＬレベルとが繰り返される）ＯＮ状態と、パルスが立ち上がらない（つまり，Ｌレベルとなる）ＯＦＦ状態とを、ＯＮ状態とＯＦＦ状態との比が「ａ：ｂ（ａ＜ｂ；本実施形態においては、ａ＝１ｓｅｃ，ｂ＝２ｓｅｃ）」となるように繰り返す形式の信号であって（図４（ａ）参照）、リング検出回路１２２は、ＯＮ状態をＬレベル，ＯＦＦ状態をＨレベルとする負論理のＣＩ検出信号を出力する（図４（ｂ）参照）。
【００３６】
また、ハイブリッドネットワーク１２７は、ＣＰＵ１２からの指令を受けてスイッチング回路１４０に回線閉結を指令すると共に、スイッチング回路１４０を通じてハイブリッドネットワーク１２７における接続端子１０２，１０４側の抵抗値を変更することで接続端子１０２，１０４へ至る経路を流れる音声信号の信号レベルを調整する。
【００３７】
スイッチング回路１４０は、初期状態においてダイオードブリッジ１３０からＤＡＡモジュール１２０（ハイブリッドネットワーク１２７）へ至る経路を開放しているが、ＣＰＵ１２からの指令を受けた際に、この経路をスイッチング素子で導通させることにより電話回線網２００側（直近の交換機２０２）との閉ループを形成して回線閉結を行うように構成された回路である。
［音声通話処理］
以下に、ＣＰＵ１２により実行される音声通話処理の処理手順を図５に基づいて説明する。この音声通話処理は、電話端末１が起動した以降、繰り返し実行される。
【００３８】
まず、着呼があるまで，つまり電話回線網２００側から呼出信号が受信されるまで待機状態となった後（ｓ１１０：ＮＯ）、呼出信号が受信されたら（ｓ１１０：ＹＥＳ）、呼び出し音の鳴動が開始される（ｓ１２０）。このｓ１１０の処理では、回線インタフェース部１００のＤＡＡモジュール１２０（リング検出回路１２２）により呼出信号が検出された際、そのＣＩ検出信号が回線インタフェース部１００から出力されるため、これをもって呼出信号が受信されたと判定される。また、ｓ１２０の処理では、ＥＥＰＲＯＭ１８に記憶されている着信音の送受話部３０（スピーカフォン３４のスピーカ）による出力が開始される。
【００３９】
次に、ＯＦＦフック操作が行われるまで待機状態となる（ｓ１３０：ＮＯ）。なお、ここでいう「ＯＦＦフック操作」とは、音声通話を開始するための通話開始操作のことであって、送受話部３０のうち、ハンドセット３２が電話端末１本体から取り外される、スピーカフォン３４による音声通話を開始するための操作が操作パネル２２により行われる、子機端末３６において音声通話を開始するための操作が行われる（この場合、操作が行われたことを示す信号が無線通信部３８により受信される）、といった操作のことである。
【００４０】
このｓ１３０の処理で、ＯＦＦフック操作が行われたことが検出されたら（ｓ１３０：ＹＥＳ）、ｓ１２０の処理で開始された呼び出し音の鳴動が停止される（ｓ１４０）。ここでは、ｓ１２０の処理で開始された着信音の送受話部３０（スピーカフォン３４）による出力が停止される。
【００４１】
次に、ＲＡＭ１６内の所定領域に記憶されているＣＩ＿ＯＮフラグがチェックされる（ｓ１５０）。この「ＣＩ＿ＯＮフラグ」は、初期状態で「０」がセットされており、後述するＣＩ検出処理（図６）において呼出信号がＯＮ状態であれば「１」がセットされ、ＯＦＦ状態であれば「０」がセットされるフラグである。
【００４２】
次に、ｓ１５０の処理でチェックされたＣＩ＿ＯＮフラグに「１」がセットされているか否かがチェックされ（ｓ１６０）、「１」がセットされている，つまり呼出信号がＯＮ状態であれば（ｓ１６０：ＹＥＳ）、ｓ１５０の処理へ戻る。
【００４３】
一方、ｓ１６０の処理で、ＣＩ＿ＯＮフラグに「１」がセットされていない，つまり呼出信号がＯＦＦ状態であれば（ｓ１６０：ＮＯ）、所定の待機時間が経過しているか否かがチェックされる（ｓ１７０）。ここでは、直前に行われたｓ１３０の処理でＯＦＦフック操作が検出された以降の経過時間（ＣＰＵ１２内のタイマーによりカウントされる）が、所定値（本実施形態においては、９０ｍｓｅｃ）に到達していれば、待機時間が経過したと判定される。なお、この待機時間の所定値は、呼出信号がＯＦＦ状態となる過渡期が経過して、ＯＦＦ状態が安定するのに要する充分な時間として定められたものである。
【００４４】
このｓ１７０の処理で、待機時間が経過していなければ（ｓ１７０：ＮＯ）、ｓ１５０の処理へ戻る一方、待機時間が経過していれば（ｓ１７０：ＹＥＳ）、呼出元の電話端末との回線閉結が行われる（ｓ１８０）。ここでは、回線インタフェース部１００のスイッチング回路１４０に、ダイオードブリッジ１３０からＤＡＡモジュール１２０（ハイブリッドネットワーク１２７）へ至る経路を導通させることによって、電話回線網２００側（交換機２０２）との回線閉結が行われる。これにより、電話回線網２００を介して本電話端末１の呼出を行った呼出元の電話端末との間の回線が閉結される。
【００４５】
次に、音声通話が開始される（ｓ１９０）。ここでは、音声処理部５０の切替部５３，５４に、送受話部３０におけるハンドセット３２，スピーカフォン３４，子機端末３６のうち、ｓ１３０の処理で行われたＯＦＦフック操作に対応するものと、音声処理部５０のアンプ５２，５５とを接続させることにより、送受話部３０と音声処理部５０とが接続され、音声通話が開始される。
【００４６】
次に、ＯＮフック操作が行われるまで待機状態となる（ｓ２００：ＮＯ）。なお、ここでいう「ＯＮフック操作」とは、ｓ１３０の処理で行われたＯＦＦフック操作がハンドセット３２に対応するものである場合においてハンドセット３２を電話端末１本体に戻す、ＯＦＦフック操作がスピーカフォン３４に対応するものである場合においてスピーカフォン３４による音声通話を終了するための操作が操作パネル２２により行われる、ＯＦＦフック操作が子機端末３６に対応するものである場合において子機端末３６にて音声通話を終了するための操作が行われる、といった操作のことである。
【００４７】
このｓ２００の処理で、ＯＮフック操作が行われたことが検出されたら（ｓ２００：ＹＥＳ）、音声通話が終了される（ｓ２１０）。ここでは、音声処理部５０の切替部５３，５４に、送受話部３０と音声処理部５０のアンプ５２，５５との接続状態を解除させることにより、送受話部３０と音声処理部５０との接続が解消され、音声通話が終了される。
【００４８】
そして、呼出元の電話端末との回線開放が行われた後（ｓ２２０）、ｓ１１０の処理へ戻る。このｓ２２０の処理では、回線インタフェース部１００のスイッチング回路１４０に、ダイオードブリッジ１３０からＤＡＡモジュール１２０（ハイブリッドネットワーク１２７）へ至る経路を開放させることによって、電話回線網２００側（交換機２０２）との回線開放が行われる。これにより、電話回線網２００を介して本電話端末１の呼出を行った呼出元の電話端末との間の回線が開放される。
［ＣＩ検出処理］
ここで、上述したＣＩ検出処理の詳細な処理手順を図６に基づいて説明する。このＣＩ検出処理は、電話端末１が起動した以降、繰り返し実行される。
【００４９】
まず、ＲＡＭ１６に記憶されているＣＩカウンタが初期化（カウント値が「０」となる）される（ｓ３１０）。
次に、回線インタフェース部１００のＤＡＡモジュール１２０（リング検出回路１２２）により検出されるＣＩ検出信号の監視が開始され、このＣＩ検出信号の立ち下がりエッジが検知されるまで待機状態となる（ｓ３２０：ＮＯ）。上述したように、ＣＩ検知信号は、呼出信号がＯＮ状態のときにＬレベル，ＯＦＦ状態のときにＨレベルとなる信号であるため、ＣＩ検出信号の立ち下がりエッジを検知するまで待機することは、ＣＩ検出信号が立ち下がってＬレベルとなる，つまり呼出信号がＯＮ状態となるまで待機していることになる。
【００５０】
このｓ３２０の処理で、ＣＩ検出信号の立ち下がりエッジが検知されたら（ｓ３２０：ＹＥＳ）、ＣＩカウンタのカウントタイミングに到達するまで待機状態となる（ｓ３３０：ＮＯ）。本実施形態においては、図７に示すように、呼出信号のＯＮ状態におけるパルスの周期よりも短い周期のクロックに基づいてＣＩ検出信号の状態が監視されており、このクロックの立ち下がりのタイミングとなったことが、カウントタイミングに到達したこととして判定される。
【００５１】
このｓ３３０の処理で、ＣＩカウンタのカウントタイミングに到達したら（ｓ３３０：ＹＥＳ）、ＣＩカウンタがインクリメント（１を加算）される（ｓ３４０）。
次に、ＣＩカウンタのカウント値がＣＩ＿ＭＡＸ値未満であるか否かがチェックされる（ｓ３５０）。このＣＩ＿ＭＡＸ値は、呼出信号がＯＮ状態となっている期間中にＣＩカウンタによりカウントされる値として想定される最大値（本実施形態においては「６」）よりも僅かに大きな値（ＯＮ状態となっている期間中にＣＩカウンタによりカウントされる値として許容できない最小値；本実施形態においては「７」）であり、この値未満のカウント値である状態は、いまだ呼出信号がＯＮ状態であることを示している。一方、呼出信号のＯＦＦ状態はＯＮ状態よりも長い期間継続するため（図３参照）、ＣＩ＿ＭＡＸ値以上のカウント値である状態は、呼出信号がＯＦＦ状態であることを示している。
【００５２】
このｓ３５０の処理で、ＣＩカウンタのカウント値がＣＩ＿ＭＡＸ値未満でなければ（ｓ３５０：ＮＯ）、ＣＩ＿ＯＮフラグに「０」がセットされた後（ｓ３６０）、ｓ３１０の処理へ戻る。
【００５３】
また、ｓ３５０の処理で、ＣＩカウンタのカウント値がＣＩ＿ＭＡＸ値未満であれば（ｓ３５０：ＹＥＳ）、ＣＩ検出信号の立ち下がりエッジが検知されたか否かがチェックされる（ｓ３７０）。ここでは、ＣＩ検出信号が立ち下がってＯＮ状態となっているか否かをチェックすることになるが、ｓ３２０の処理で立ち下がりエッジが検知された，または，直前に行われたｓ３６０の処理で立ち下がりエッジが検知された以降、次の立ち下がりエッジが検知されたか否かがチェックされており、つまり、呼出信号がＯＮ状態から次のＯＮ状態になるまでの１周期を経過したかがチェックされることになる。
【００５４】
そして、このｓ３７０の処理で、ＣＩ検出信号の立ち下がりエッジが検知されていない，つまり呼出信号の１周期を経過していなければ（ｓ３７０：ＮＯ）、ｓ３３０の処理へ戻ってＣＩカウンタによるカウントを繰り返す。一方、ＣＩ検出信号の立ち下がりエッジが検知されている，つまり呼出信号の１周期を経過していれば（ｓ３７０：ＹＥＳ）、ＣＩ＿ＯＮフラグに「１」をセットした後（ｓ３８０）、ｓ３１０の処理へ戻る。
【００５５】
ここで、実際に呼出信号が受信された以降、このＣＩ検出処理において、ＣＩ＿ＯＮフラグおよびＣＩカウンタのカウント値がどのように変化するかを、図７に基づいて説明する。なお、この説明におけるカッコ書きは、図７において示された同一符号の位置を示すものである。
【００５６】
はじめに、ｓ３１０の処理でＣＩカウンタが初期化された後、ｓ３２０の処理でＣＩ検出信号の立ち下がりエッジが検出されるまで（Ｓ＿１まで），つまり呼出信号が受信されるまで待機状態となる。こうして、待機状態となっている間は、ｓ３３０以降の処理が実行されないため、ＣＩカウンタのカウント値が変化することはない（Ｃ＿１）。
【００５７】
この待機状態において、ｓ３２０の処理でＣＩ検出信号の立ち下がりエッジが検出された，つまり呼出信号の受信が開始されたら（Ｓ＿１以降）、ｓ３３０の処理でカウントタイミングに到達するまで待機状態となる。ここでは、次のクロックの立ち下がり（Ｔ＿１）まで待機状態となった後、ｓ３４０の処理でＣＩカウンタがインクリメントされ（Ｃ＿２）、以降、ｓ３７０の処理でＣＩ検出信号の次の立ち下がり（Ｓ＿２）が検出されるまでに、ｓ３３０〜ｓ３７０の処理が繰り返されて、ＣＩカウンタが順次カウントされる（Ｃ＿３）。
【００５８】
そして、このｓ３３０〜ｓ３７０までの処理の繰り返しにおいて、ｓ３７０の処理でＣＩ検出信号の次の立ち下がり（Ｓ＿２）が検出されたら、ｓ３８０の処理でＣＩ＿ＯＮフラグに「１」がセットされる（Ｆ＿１）。これ以降、呼出信号がＯＮ状態である間は、常に、ＣＩカウンタのカウント値がＣＩ＿ＭＡＸ値未満の状態でＣＩ検出信号の立ち下がりエッジが検出されることになるため、ｓ３６０の処理へ移行することなく、ｓ３１０〜ｓ３８０が繰り返され、これにより、ＣＩ＿ＯＮフラグが「１」のまま維持される（Ｆ＿１以降）。
【００５９】
その後、呼出信号がＯＦＦ状態となると（Ｓ＿３以降）、ｓ３３０〜ｓ３７０までの処理の繰り返しにおいて、ｓ３７０の処理でＣＩ検出信号の立ち下がりエッジがしばらく検出されなくなるため、ｓ３４０の処理によるＣＩカウンタが、ＣＩ＿ＭＡＸ値以上となるまで繰り返しインクリメントされる（Ｃ＿４）。
【００６０】
そうすると、ｓ３３０〜ｓ３７０までの処理の繰り返しにおいて、ｓ３５０の処理でＣＩカウンタがＣＩ＿ＭＡＸ値未満でないと判定されるため、ｓ３６０の処理に移行し、ＣＩ＿ＯＮフラグに「０」がセットされ（Ｆ＿３）、以降、同様の繰り返しが行われる。
【００６１】
このように、ＣＩ＿ＯＮフラグが「０」となっている間であれば、上述した音声通話処理（図５）において、ｓ１７０の処理へ移行することができ、回線閉結が行われることとなるが、ＣＩ＿ＯＮフラグが「１」となっている間は、ｓ１７０の処理へ移行することができず、「０」となるまで待機することになるため、この期間中には回線閉結が行われない。
［効果］
このように構成された電話端末１によれば、他の電話端末からの呼出に応じてユーザがＯＦＦフック操作（通話開始操作）を行った際、呼出信号がＯＮ状態であると、図６におけるｓ３８０の処理でＣＩ＿ＯＮフラグが「１」とされることにより、図５におけるｓ１７０以降の処理，つまり同図ｓ１８０の処理において回線閉結が行われることはなくなる。そして、呼出信号がＯＦＦ状態となって図６におけるｓ３６０の処理でＣＩ＿ＯＮフラグが「０」とされるまで回線閉結が待機されることになる。そのため、呼出信号の検出に係る回路（リング検出回路１２２）以外の内部回路にＯＮ状態の呼出信号が流れてしまうことはない。
【００６２】
よって、ＯＮ状態の呼出信号が送受話部３０へ至る回路に流れてしまうことで、送受話部３０から不快な音声として呼出信号が出力されることを防止できる。
また、ＯＮ状態の呼出信号が、本来送受話部３０へ至る回路に流すべき信号（音声信号など）よりも大きな信号レベルであると、この回路を構成するデバイス等の耐圧が呼出信号の信号レベルよりも充分に大きくなければ、このデバイス等が損傷，破損してしまう虞もあるが、上述のように、ＯＮ状態の呼出信号が送受話部３０へ至る回路に流れてしまうことを防止できる構成であれば、呼出信号によるデバイス等の損傷，破損を防止できるだけでなく、呼出信号の信号レベルを考慮せずに送受話部３０へ至る回路を構成することができる。
【００６３】
また、呼出信号の受信が検出された後でＯＦＦフック操作が行われた際、図５におけるｓ１６０の処理でＣＩ＿ＯＮフラグが「０」となっている，つまり呼出信号がＯＦＦ状態となっていれば、ＯＮ状態の呼出信号が電話端末１の内部回路に流れてしまうことはないため、ＣＩ＿ＯＮフラグが「０」となるまで待機を行うことなく、同図ｓ１７０の処理による待機の後、同図ｓ１８０の処理による回線閉結を行うことができる。
【００６４】
また、図５におけるｓ１７０の処理では、ＣＩ＿ＯＮフラグが「０」，つまり呼出信号がＯＦＦ状態になった後、更に、所定の待機時間だけ回線閉結を待機させることができる。この待機時間は、呼出信号がＯＦＦ状態となる過渡期が経過して、ＯＦＦ状態が安定するのに要する充分な時間として定められたものであるため、このような過渡期における不安定な信号が内部回路に流れることにより、送受話部３０から不快な音声が出力されてしまったり、内部回路を構成するデバイス等が損傷，破損してしまう、といったことを防止することができる。
【００６５】
また、図６のＣＩ検出処理では、呼出信号の周期（ＣＩ検出信号の立ち下がりエッジ間）をＣＩカウンタによりカウントしていき、このカウント値が呼出信号におけるＯＮ状態の周期として許容できない値（ＣＩ＿ＭＡＸ値）以上となるような場合に、ＣＩ＿ＯＮフラグに「０」をセットすることで呼出信号がＯＦＦ状態であると判定（検出）している。つまり、呼出信号の周期が、ＯＮ状態の周期として許容できない値よりも短いか否かによって、呼出信号がＯＮ状態であるか（ＣＩ＿ＯＮフラグ「１」）ＯＦＦ状態であるか（ＣＩ＿ＯＮフラグ「０」）であるかを適切に判定（検出）することができる。
【００６６】
［変形例］
以上、本発明の実施の形態について説明したが、本発明は、上記実施形態に何ら限定されることはなく、本発明の技術的範囲に属する限り種々の形態をとり得ることはいうまでもない。
【００６７】
例えば、上記実施形態においては、本発明における通信装置として、電話端末１が適用されているものを例示した。しかし、本発明における通信装置としては、電話回線網２００を介した音声通話を実現する機能を有していれば、例えば、ファクシミリ装置や、他の各種機能（ファクシミリ機能を含む）をも備えた複合機などの他の装置を適用することもできる。ファクシミリ機能を備えたこれらの装置の場合、ＣＰＵ１２は回線インタフェース部１００を介して送受信される各種信号に従って、ファクシミリ動作を実行することができる。また、モデム４０は音声信号の入出力のみならず、ファクシミリ信号の送受信も実行することとなる。
【００６８】
また、上記実施形態においては、呼出信号の周期をクロックに基づくＣＩカウンタのインクリメントによりカウントするように構成されたものを例示した。しかし、呼出信号の周期をカウントするための構成としては、この構成以外に、例えば、タイマーを用いてカウントするように構成してもよい。
【００６９】
また、上記実施形態においては、ＣＩ＿ＯＮフラグが初期状態で「０」となっている場合を例示したが（図７参照）、ＣＩ＿ＯＮフラグを初期状態で「１」としておいてもよい。この場合、初期状態のときに通話開始操作が行われたとしても、このときのＣＩ＿ＯＮフラグが「１」であるために、呼出信号がＯＮ状態のままで回線閉結が行われてしまう虞がない。
【００７０】
［本発明との対応関係］
以上説明した実施形態において、リング検出回路１２２は本発明における呼出検出手段であり、スイッチング回路１４０は本発明における回線閉結手段である。
【００７１】
また、図５におけるｓ１１０の処理は本発明における呼出検出手段であり、ｓ１８０の処理は本発明における回線閉結手段であり、ｓ１５０〜ｓ１７０の処理は本発明における閉結待機手段である。
【００７２】
また、図６におけるｓ３１０〜ｓ３８０の処理は、本発明における状態検出手段である。
【図面の簡単な説明】
【００７３】
【図１】電話機の制御系統を示すブロック図
【図２】電話機の一部詳細な制御系統を示すブロック図
【図３】回線インタフェース部の回路構成を示すブロック図
【図４】呼出信号およびＣＩ検出信号の波形を示す図
【図５】音声通話処理の処理手順を示すフローチャート
【図６】ＣＩ検出処理の処理手順を示すフローチャート
【図７】カウントタイミングおよびＣＩ検出信号に応じて、ＣＩ＿ＯＮフラグおよびＣＩカウンタのカウント値が変化する様子を示すタイミングチャート
【符号の説明】
【００７４】
１・・・電話端末、１２・・・ＣＰＵ、１４・・・ＲＯＭ、１６・・・ＲＡＭ、１８・・・ＥＥＰＲＯＭ、２２・・・操作パネル、２４・・・表示パネル、３０・・・送受話部、３２・・・ハンドセット、３４・・・スピーカフォン、３６・・・子機端末、３８・・・無線通信部、４０・・・モデム、５０・・・音声処理部、５１・・・コーデック、５２・・・アンプ、５３・・・切替部、５４・・・切替部、５５・・・アンプ、６０・・・バスライン、１００・・・回線インタフェース部、１０２・・・接続端子、１０４・・・接続端子、１１０・・・分離部、１１２・・・コンデンサ、１１４・・・コンデンサ、１１６・・・トランス、１２０・・・ＤＡＡモジュール、１２１・・・インタフェース部、１２２・・・リング検出回路、１２３・・・コーデック、１２４・・・受信アンプ、１２５・・・送信アンプ、１２６・・・レベル検出回路、１２７・・・ハイブリッドネットワーク、１３０・・・ダイオードブリッジ、１４０・・・スイッチング回路。
【図１】
2006025138.tif 000003
【図２】
2006025138.tif 000004
【図３】
2006025138.tif 000005
【図４】
2006025138.tif 000006
【図５】
2006025138.tif 000007
【図６】
2006025138.tif 000008
【図７】
2006025138.tif 000009